(57)【要約】【課題】電子写真感光体を画像形成装置に対して組み込んだ後に、その梱包を取り外した場合であっても、粘着テープの粘着剤成分が電子写真感光体に対して付着することを効果的に抑制し、それに起因する画像不良を抑制することができる電子写真感光体の梱包方法及びそれを用いた電子写真感光体の組み込み方法を提供する。【解決手段】電子写真感光体の周囲に、遮光保護部材を一部重ねた状態で巻き付けるとともに、当該保護部材の重なり部分に、粘着テープを貼り付けて固定する電子写真感光体の梱包方法及び電子写真感光体の組み込み方法であって、粘着テープが貼り付けられる遮光保護部材の該当箇所の全周または周囲の一部に沿って、切断線または薄肉部を設けることを特徴とする。【選択図】図１
2008009081.tif 000002
【特許請求の範囲】
【請求項１】
電子写真感光体の周囲に、遮光保護部材を一部重ねた状態で巻き付けるとともに、当該保護部材の重なり部分に、粘着テープを貼り付けて固定する電子写真感光体の梱包方法であって、
前記粘着テープが貼り付けられる遮光保護部材の該当箇所の全周または周囲の一部に沿って、切断線または薄肉部を設けることを特徴とする電子写真感光体の梱包方法。
【請求項２】
前記切断線または薄肉部を、前記粘着テープが貼り付けられる遮光保護部材の該当箇所の周囲に沿って、実質的にコの字状に配置することを特徴とする請求項１に記載の電子写真感光体の梱包方法。
【請求項３】
前記粘着テープが貼り付けられる遮光保護部材の該当箇所を複数設けるとともに、当該複数の該当箇所に対応させて、前記切断線または薄肉部を、複数箇所設けることを特徴とする請求項１または２に記載の電子写真感光体の梱包方法。
【請求項４】
前記切断線または薄肉部の端部と、前記遮光保護部材の端部との間の直線距離を、３〜３０ｍｍの範囲内の値とすることを特徴とする請求項１〜３のいずれか一項に記載の電子写真感光体の梱包方法。
【請求項５】
前記粘着テープが貼り付けられる遮光保護部材の該当箇所の色と、それ以外の遮光保護部材の色とを、異ならせることを特徴とする請求項１〜４のいずれか一項に記載の電子写真感光体の梱包方法。
【請求項６】
前記遮光保護部材が、黒色遮光紙であることを特徴とする請求項１〜５のいずれか一項に記載の電子写真感光体の梱包方法。
【請求項７】
前記粘着テープにおける粘着剤として、粘着付与剤を含んだゴム系粘着剤を用いることを特徴とする請求項１〜６のいずれか一項に記載の電子写真感光体の梱包方法。
【請求項８】
画像形成装置に対して、梱包状態の電子写真感光体を組み付けるための電子写真感光体の組み込み方法であって、下記工程（ａ）〜（ｃ）を順次に含むことを特徴とする電子写真感光体の組み込み方法。
（ａ）前記電子写真感光体の周囲に対して、粘着テープが貼り付けられる該当箇所の全周または周囲の一部に沿って、切断線または薄肉部が設けてある遮光保護部材を、一部重ねた状態で巻き付けて、電子写真感光体を梱包する工程
（ｂ）前記梱包した状態の電子写真感光体を、画像形成装置、または画像形成ユニットの所定場所に配置する工程
（ｃ）前記粘着テープが貼り付けられた遮光保護部材の該当箇所を、前記粘着テープが貼り付いた状態で引き剥がし、前記遮光保護部材を全て取り外す工程
【発明の詳細な説明】
【技術分野】
【０００１】
本発明は、電子写真感光体の梱包方法及び電子写真感光体の組み込み方法に関する。特に、遮光保護部材を巻きつけて、その重なり部分に、粘着テープを貼り付けて固定する電子写真感光体の梱包方法およびそれを用いた電子写真感光体の組み込み方法に関する。
【背景技術】
【０００２】
近年、電子写真複写機、電子写真プリンタ、電子写真ファクシミリ及びこれらの複合機等に搭載される円筒状の電子写真感光体としては、円筒状の基体上に、有機感光性材料を含有する感光層を形成してなる有機感光体が広く用いられている。
しかしながら、かかる有機感光体の感光層における表面硬度は、比較的軟らかいために、その表面に傷が付きやすいという問題が見られた。
また、電子写真感光体は、外光に晒されることによって、感光特性に疲労現象が生じやすいといった問題が見られた。
【０００３】
そこで、このような問題を解決するために、電子写真感光体に対して遮光保護部材を巻き付けて固定する梱包方法が提案されている。
より具体的には、図１１に示すように、電子写真感光体１０１に対して、厚さ０．０６〜０．１２ｍｍの比較的薄い遮光保護部材１０３を、電子写真感光体１０１の外周の２周分以上巻き付け、それを粘着テープ１０４で固定する梱包方法が提案されている（例えば、特許文献１）。
この梱包方法によれば、遮光保護部材の厚さが薄いために、それを取り外す際に、電子写真感光体を傷つけにくく、一方、電子写真感光体の外周の２周分以上巻き付けてあることから、優れた機械的保護性や遮光性を得ることができる。
【特許文献１】特開２００５−１９５８５３号公報（特許請求の範囲）
【発明の開示】
【発明が解決しようとする課題】
【０００４】
しかしながら、特許文献１に記載された電子写真感光体の梱包方法によれば、梱包された状態の電子写真感光体を画像形成装置に組み込んだ後、遮光保護部材を取り外す際に、粘着テープの粘着剤が、電子写真感光体表面に対して付着しやすいといった問題が見られた。
すなわち、電子写真感光体に対して遮光保護部材を巻き付けて梱包するために、通常、遮光保護部材の固定に粘着テープが使用されている。そして、そのような粘着テープをはがして、遮光保護部材を取り外した場合、粘着テープにおける粘着剤（主剤や粘着付与剤）、あるいは粘着剤に含まれる低分子量物等が、直接または間接的に感光体表面に付着し、画像不良の原因となるという問題が見られた。
【０００５】
そこで、本発明者らは鋭意検討した結果、遮光保護部材の固定に、従来通り、粘着テープを使用するものの、粘着テープを剥がす際に、一部の遮光保護部材と一緒に剥がすことによって、粘着剤の付着問題を解決できることを見出し、本発明を完成させたものである。
すなわち、本発明の目的は、画像形成装置に対して電子写真感光体を組み込んだ後に、その梱包を取り外した場合であっても、粘着テープにおける粘着剤成分が電子写真感光体に対して付着することを効果的に抑制し、それに起因する画像不良を抑制することができる電子写真感光体の梱包方法及びそれを用いた電子写真感光体の組み込み方法を提供することにある。
【課題を解決するための手段】
【０００６】
本発明によれば、電子写真感光体の周囲に、遮光保護部材を一部重ねた状態で巻き付けるとともに、当該保護部材の重なり部分に、粘着テープを貼り付けて固定する電子写真感光体の梱包方法であって、粘着テープが貼り付けられる遮光保護部材の該当箇所の全周または周囲の一部に沿って、切断線または薄肉部を設けることを特徴とする電子写真感光体の梱包方法が提供され、上述した問題点を解決することができる。
すなわち、遮光保護部材に対して、所定の切断線等を設けることにより、遮光保護部材の一部のみを、粘着テープと一緒に取り外すことができるため、粘着テープの粘着面が露出することなく、遮光保護部材を取り外すことができる。
したがって、電子写真感光体を画像形成装置に対して組み込んだ後に、その梱包を取り外した場合であっても、粘着テープにおける粘着剤成分が、電子写真感光体に対して直接または間接的に付着することを効果的に抑制し、それに起因した画像不良を抑制することができる。
【０００７】
また、本発明の電子写真感光体の梱包方法を実施するにあたり、切断線または薄肉部を、粘着テープが貼り付けられる遮光保護部材の該当箇所の周囲に沿って、実質的にコの字状に配置することが好ましい。
このように実施することにより、粘着テープが貼り付けられる遮光保護部材の該当箇所を、その周囲に沿って、効率的かつ容易に切り離すことができる。
【０００８】
また、本発明の電子写真感光体の梱包方法を実施するにあたり、粘着テープが貼り付けられる遮光保護部材の該当箇所を複数設けるとともに、当該複数の該当箇所に対応させて、切断線または薄肉部を、複数箇所設けることが好ましい。
このように実施することにより、遮光保護部材による電子写真感光体の梱包を確実に実施することができるとともに、粘着テープが貼り付けられた遮光保護部材の該当箇所を、その他の部分から効率的に切り離すことができる。
【０００９】
また、本発明の電子写真感光体の梱包方法を実施するにあたり、切断線または薄肉部の端部と、遮光保護部材の端部との間の直線距離を、３〜３０ｍｍの範囲内の値とすることが好ましい。
すなわち、切断線または薄肉部の端部と、遮光保護部材の端部との間に、所定長さを有する切断線または薄肉部の非形成部を設けることにより、梱包時や開梱時に、誤って、遮光保護部材の該当箇所が切り離され、電子写真感光体が外光に対して暴露されることを有効に防止することができる。
【００１０】
また、本発明の電子写真感光体の梱包方法を実施するにあたり、粘着テープが貼り付けられる遮光保護部材の該当箇所の色と、それ以外の遮光保護部材の色とを、異ならせることが好ましい。
このように実施することにより、梱包の際には色の違いを認識して、粘着テープを所定箇所に貼りやすくなる一方で、該当箇所を引き剥がす際には、遮光保護部材の該当箇所を効率的に切り離すことができる。
【００１１】
また、本発明の電子写真感光体の梱包方法を実施するにあたり、遮光保護部材が、黒色遮光紙であることが好ましい。
このように実施することにより、電子写真感光体が、外光に対して暴露されることを有効に防止することができるとともに、黒色遮光紙において粘着テープが貼り付けられた部分を、容易かつ精度良く切り離すことができる。また、黒色遮光紙であれば、安価であるとともに、容易に廃棄したり、焼却したりすることができる。
【００１２】
また、本発明の電子写真感光体の梱包方法を実施するにあたり、粘着テープにおける粘着剤として、粘着付与剤を含んだゴム系粘着剤を用いることが好ましい。
このように、粘着付与剤を含んだゴム系粘着剤として、熱可塑性エラストマー等のゴム成分に対して、石油系炭化水素樹脂や、テルペンフェノールなどの粘着付与剤を含んだ粘着剤を用いることにより、黒色遮光紙を確実に固定することができる。
【００１３】
また、本発明の別の実施形態は、画像形成装置に対して、梱包状態の電子写真感光体を組み付けるための電子写真感光体の組み込み方法であって、下記工程（ａ）〜（ｃ）を順次に含むことを特徴とする電子写真感光体の組み込み方法である。
（ａ）電子写真感光体の周囲に対して、粘着テープが貼り付けられる該当箇所の全周または周囲の一部に沿って、切断線または薄肉部が設けてある遮光保護部材を、一部重ねた状態で巻き付けて、電子写真感光体を梱包する工程
（ｂ）梱包した状態の電子写真感光体を、画像形成装置、または画像形成ユニットの所定場所に配置する工程
（ｃ）粘着テープが貼り付けられた遮光保護部材の該当箇所を、粘着テープが貼り付いた状態で引き剥がし、遮光保護部材を全て取り外す工程
すなわち、遮光保護部材に対して、所定の切断線等を設けることにより、遮光保護部材の一部のみを、粘着テープと一緒に取り外すことができるため、粘着テープの粘着面が露出することなく、遮光保護部材を取り外すことができる。
したがって、電子写真感光体を、画像形成装置に対して組み込んだ状態でその梱包を取り外す際に、粘着テープにおける粘着剤成分が、電子写真感光体に対して直接または間接的に付着することを効果的に抑制し、それに起因した画像不良を抑制することができる。
また、このように電子写真感光体の組み込み方法を実施することにより、遮光保護部材を取り外す作業が容易となるため、画像形成装置の組み立てや、電子写真感光体の交換等における作業効率の向上に資することができる。
なお、上述した画像形成ユニットとは、電子写真感光体を含む所定の構成単位であって、電子写真感光体のほかに、帯電手段、現像手段、転写手段及びクリーニング手段からなる群より選択される少なくとも１つ以上を一体的に構成し、交換作業等を容易にした構成単位を意味する。
【発明を実施するための最良の形態】
【００１４】
［第１の実施形態］
本発明の第１の実施形態は、図１に例示するように、フランジ４付きの電子写真感光体１の周囲に、遮光保護部材１０を一部重ねた状態で巻き付けるとともに、当該遮光保護部材１０の重なり部分に、粘着テープ１４を貼り付けて固定する電子写真感光体１の梱包方法であって、粘着テープ１４が貼り付けられる遮光保護部材１０の該当箇所の全周または周囲の一部に沿って、切断線または薄肉部１２を設けることを特徴とする電子写真感光体１の梱包方法である。
以下、各構成要件に分けて、電子写真感光体の梱包方法を具体的に説明する。
【００１５】
１．遮光保護部材
（１）種類
本発明において使用される遮光保護部材は、電子写真感光体を搬送等する場合に、外力により生じる傷等を抑制することができ、かつ、遮光性のあるものであれば特に制限されるものではない。一方で、本発明における遮光保護部材は、後述するように、一部を破断させて、粘着テープとともに、取り外しができることから、所定形状に容易に破断できる材料であることが好ましい。
したがって、好適な遮光保護部材として、カーボンブラック等を含有する黒色遮光紙が挙げられる。
この理由は、このような黒色遮光紙であれば、電子写真感光体が、外光に対して暴露されることを有効に防止することができるとともに、黒色遮光紙において粘着テープが貼り付けられた部分を、容易かつ精度良く切り離すことができるためである。
また、黒色遮光紙におけるカーボンブラック等の添加量を変えるだけで、黒色遮光紙の破断性を容易に調整することができるためである。したがって、破断性が調整された黒色遮光紙であれば、容易かつ精度良く切り離すことができる。
また、黒色遮光紙であれば、安価であるとともに、容易に廃棄したり、焼却したりすることができるためである。
さらに、黒色遮光紙であれば、カーボンブラック等の作用により、遮光保護部材の導電性を向上させることができる。したがって、静電気の発生を抑制し、かかる静電気による電子写真感光体の劣化を、効果的に抑制することができるためである。
【００１６】
（２）形態
また、図２に示すように、遮光保護部材１０の横方向長さ、すなわち横幅（Ｌ１）は、梱包されるフランジ付きの電子写真感光体の感光層部分を全て覆うことができ、かつ、フランジ部分については露出させる程度の長さであることが好ましい。
この理由は、感光層が傷付くことや、外光に晒されることを防ぐとともに、電子写真感光体を梱包された状態のままで画像形成装置に対して組み付けることが容易となるためである。
したがって、遮光保護部材１０の横幅（Ｌ１）を、例えば、横幅２５４ｍｍの電子写真感光体において、幅２４０〜２５０ｍｍの範囲内の値とすることが好ましい。
【００１７】
また、図２に示すように、遮光保護部材１０の縦方向長さ（Ｌ２）は、電子写真感光体に対して、少なくとも一周巻きつけて、梱包できる程度の長さであれば良い。
また、後述するように、本発明において使用される遮光保護部材は、その端部において切断線または薄肉部を有する構造であるため、遮光保護部材の一部が重なって、切断線等の下においても、遮光保護部材が巻き付けられている程度の縦方向長さとすることが好ましい。
したがって、遮光保護部材１０の縦方向長さ（Ｌ２）を、より具体的には、直径３０ｍｍの電子写真感光体においては、１００〜２００ｍｍｍｍの範囲内の値とすることが好ましい。
【００１８】
また、遮光保護部材の厚さは、電子写真感光体の機械的保護性や、外光に対する遮光性を考慮して定めるとともに、粘着テープと一緒に取り外しできるような破断性も考慮して定めることが好ましい。
したがって、遮光保護部材の厚さを０．０５〜０．５ｍｍの範囲内の値とすることが好ましい。
すなわち、かかる遮光保護部材の厚さが０．０５ｍｍ未満の値となると、電子写真感光体に対する機械的性や、遮光性を十分に発揮することが困難となる場合があるためである。一方、かかる遮光保護部材の厚さが０．５ｍｍを超えると、遮光保護部材の破断性が低下するばかりか、取り扱い性が困難となって、梱包性が低下する場合があるためである。
したがって、かかる遮光保護部材の厚さを０．０８〜０．３ｍｍの範囲内の値とすることがより好ましく、０．１〜０．２ｍｍの範囲内の値とすることがさらに好ましい。
【００１９】
（３）切断線または薄肉部
また、本発明において使用される遮光保護部材は、図１に例示するように、粘着テープ１４が貼り付けられる遮光保護部材１０の該当箇所の全周または周囲の一部に沿って、切断線または薄肉部１２を設けることを特徴とする。
この理由は、このような切断線等を設けることにより、遮光保護部材の一部を、粘着テープと一緒に取り外すことができ、遮光保護部材の一部をタグとして、粘着テープの粘着面が露出することなく、遮光保護部材を取り外すことができるためである。
したがって、電子写真感光体を画像形成装置に対して組み込んだ後に、その梱包を取り外した場合であっても、粘着テープにおける粘着剤成分が、電子写真感光体に対して直接または間接的に付着することを効果的に抑制し、それに起因した画像不良を抑制することができる。
以下、図１〜図７を参照して、切断線または薄肉部１２の構成や機能を、さらに詳細に説明する。
【００２０】
まず、切断線または薄肉部１２の大きさに関して、図２に例示するように、実質的にコの字状に配置した場合、切断線または薄肉部１２の端部と、遮光保護部材１０の端部との間の直線距離（ｍ）を３〜３０ｍｍの範囲内の値とすることが好ましい。
この理由は、切断線または薄肉部の端部と、遮光保護部材の端部との間に、所定長さを有する切断線または薄肉部の非形成部を設けることにより、梱包時や開梱時に、誤って、遮光保護部材の該当箇所が切り離され、電子写真感光体が外交に対して暴露されることを有効に防止することができるためである。
すなわち、かかる切断線または薄肉部の端部と、遮光保護部材の端部との間の距離が、３ｍｍ未満の値となると、梱包字や開梱時、あるいは搬送時において、誤って遮光保護部材の該当箇所が切り離される場合があるためである。一方、かかる距離が、３０ｍｍを超えた値となると、破断の方向が、意図しない方向に向かったり、紙粉が発生しやすくなる場合があるためである。
したがって、かかる切断線または薄肉部の端部と、遮光保護部材の端部との間の距離を、４〜２５ｍｍの範囲内の値とすることがより好ましく、５〜２０ｍｍの範囲内の値とすることがさらに好ましい。
【００２１】
また、図２に示すように、切断線または薄肉部１２の幅（ｎ）を０．１〜３ｍｍの範囲内の値とすることが好ましい。
この理由は、このような切断線等の幅であれば、粘着テープを所定箇所に貼りやすくなるとともに、遮光保護部材を剥がす際には、該当箇所を、効率的に切り離すことができるためである。
さらにまた、図２に示すように、切断線または薄肉部１２による該当箇所の横幅（ｋ）を１０〜５０ｍｍの範囲内の値とすることが好ましく、該当箇所の縦の長さ（ｌ）を５〜５０ｍｍの範囲内の値とすることが好ましい。
また、薄肉部における厚さ（薄さ）は、薄肉部以外の部分よりも薄く、選択的に裂くことができる程度の厚さであれば、特に制限されるものではないが、一般的には、０．０４〜０．１５ｍｍの範囲内の値とすることが好ましい。
【００２２】
また、切断線または薄肉部１２の形状に関して、粘着テープ１４が貼り付けられる遮光保護部材１０の該当箇所の周囲に沿って、実質的にコの字状に配置するのに適した形状であることが好ましい。
この理由は、切断線または薄肉部を、かかる特定の形状とすることによって、粘着テープが貼り付けられる遮光保護部材の該当箇所を、その周囲に沿って、効率的かつ容易に切り離すことができるようになるためである。
したがって、図１や図２に示すように、粘着テープ１４の端部を取り囲むように、切断線または薄肉部１２が実質的にコの字状に作られていることが好ましい。
よって、図１や図３（ａ）に示すように、かかる切断線または薄肉部１２を備えた遮光保護部材１０を電子写真感光体１に巻き付けて、粘着テープ１４で固定すると、図１に示すような形態で、電子写真感光体を梱包することができる。
【００２３】
そして、図３（ｂ）に示すように、かかる遮光保護部材１０を取り外す場合には、切断線または薄肉部１２によって囲まれた箇所、または粘着テープ１４を適当に摘んで、所定方向に引っ張ることによって、遮光保護部材１０の一部が裂け、粘着テープの粘着面が露出することなく、遮光保護部材１０を取り外すことができる。
すなわち、図３（ｃ）に示すように、粘着テープ１４の粘着面は、遮光保護部材１０に貼り付けられたままの状態であるため、外部に露出することはない。したがって、電子写真感光体に対して、かかる粘着テープの粘着剤が、直接または間接的に付着することを有効に防止することができる。また、遮光保護部材の一部をタグとして利用することができるため、遮光保護部材１０の取り外しが容易になるばかりか、電子写真感光体に対して、損傷を与えるようなおそれが少なくなる。
【００２４】
また、切断線または薄肉部の形状としては、図４（ａ）〜（ｃ）に示すような形状を採用することも好ましい。
すなわち、図４（ａ）に示すように、コの字の開口部を、遮光保護部材の端部に近づくほど狭める形状とすることによって、切断線または薄肉部によって囲まれた該当部分を摘みやすくなり、かつ、切断線または薄肉部の非形成部が破断する方向を、粘着テープにより近接した方向に調節することができる。
また、図４（ｂ）及び（ｃ）に示すような楔型や半円形の形状とした場合、切断線等の総合的な長さを短くすることができるため、遮光保護部材における強度の低下を、最小限に抑えることができる。
【００２５】
また、切断線または薄肉部１２の数に関して、図５に示すように、粘着テープ１４ａ〜１４ｃが貼り付けられる遮光保護部材１０の該当箇所を複数設けるとともに、当該複数の該当箇所に対応させて、切断線または薄肉部１２ａ〜１２ｃを、複数箇所設けることが好ましい。
この理由は、粘着テープを用いて複数箇所で固定することにより、遮光保護部材による電子写真感光体の梱包を確実に実施することができるとともに、粘着テープが貼り付けられた遮光保護部材の該当箇所を、その他の部分から効率的に切り離すことができるためである。
すなわち、粘着テープを用いて複数箇所で固定することにより、遮光保護部材のめくれや緩みを、より確実に抑制することができるためである。一方で、粘着テープが貼り付けられた遮光保護部材の該当箇所が複数であっても、それぞれを摘んで引っ張るだけで、容易に遮光保護部材を、電子写真感光体から取り外すことができるためである。
なお、切断線または薄肉部１２を複数設けるに際して、切断線と、薄肉部とを混在させることも好ましい。例えば、図５に示す３箇所の例において、遮光保護部材１０の両側には、薄肉部１２ａ、１２ｃを設け、中央には、切断線１２ｂを設けることも好ましい。
【００２６】
また、図６に示すように、遮光保護部材１０における切断線または薄肉部１２と端部の間に、ミシン線１２ｄを設けることも好ましい。
この理由は、このようなミシン線を設けることによって、遮光保護部材の端部において粘着テープが貼り付けられた該当箇所のみを、他の部分からより効率的に切り離すことができるとともに、遮光保護部材を裂く際に生じる紙紛の量を低減することができるためである。
【００２７】
また、図７に示すように、粘着テープが貼り付けられる遮光保護部材の該当箇所の色と、それ以外の遮光保護部材の色とを、異ならせることが好ましい。
この理由は、このような色の違い１０ａを認識して、粘着テープを所定箇所に貼りやすくなる一方で、該当箇所を引き剥がす際には、遮光保護部材の該当箇所を、効率的に切り離すことができるためである。
すなわち、特に、遮光保護部材で梱包された状態の電子写真感光体を、画像形成装置に対して組み付けた後に、かかる遮光保護部材を取り外す場合には、画像形成装置内にまで十分な光が届かず、遮光保護部材の該当箇所を見分けることが困難となる。したがって、遮光保護部材の該当箇所に対して、例えば、白色や、蛍光色等の、暗部においても認識しやすい色を付すことで、該当箇所の識別が容易となるためである。
【００２８】
（４）粘着テープ
また、図８に示すように、粘着テープ２０は、基本的に、基材２２と、粘着剤層２４とから構成されていることが好ましい。
また、かかる粘着テープにおける粘着剤として、粘着付与剤を含んだゴム系粘着剤を用いることが好ましい。
この理由は、粘着付与剤を含んだゴム系粘着剤として、熱可塑性エラストマー等のゴム成分に対して、石油系炭化水素樹脂や、テルペンフェノールなどの粘着付与剤を含んだ粘着剤を用いることにより、黒色遮光紙を確実に固定することができるためである。
すなわち、粘着剤における主成分をゴム成分とした粘着テープであれば、優れた粘着力や凝集力を有するため、遮光保護部材を電子写真感光体に対して強固に固定することができるためである。
一方で、本発明としての電子写真感光体の梱包方法であれば、従来の梱包方法のように、粘着テープを遮光保護部材から剥離する必要がないため、粘着剤の粘着力が過度に高い場合であっても、問題が生じることがないためである。
したがって、粘着テープにおける粘着力（ＪＩＳ  Ｚ  ０２３７に準拠して測定）を、一般的には７〜１３Ｎ／２５ｃｍの範囲内の値とすることが好ましい。また、粘着テープの大きさを、例えば、２ｃｍ×５ｃｍとすることが好ましい。
【００２９】
２．梱包工程
電子写真感光体の梱包方法における梱包工程を実施するにあたり、予め、図２に示すような切断線または薄肉部１２を所定箇所に有する遮光保護部材１０を用意する。
次いで、図３（ａ）に示すように、緩みが生じないように、遮光保護部材１０を電子写真感光体１に対して巻き付けた後、遮光保護部材１０における切断線または薄肉部１２を有する箇所と、かかる箇所と重なる部分と、を粘着テープ１４によって固定する。
その際、上述した重なる部分の長さ方向の幅を１０〜７０ｍｍの範囲内の値とすることが好ましい。
また、かかる梱包工程は、手作業で行うこともできるが、機械によって、全自動で実施することが好ましい。
この理由は、連続して大量に、かつ、外光を遮りつつ梱包作業をすることができるばかりか、電子写真感光体表面が、指油等によって汚染されることを、有効に防止することができるためである。
【００３０】
３．搬送及び保管方法
次いで、このように梱包された電子写真感光体１を運搬する際には、電子写真感光体に傷がつかないように、図９に示すような緩衝部材で成型されたトレー状の保護容器３０に収納することが好ましい。
この理由は、電子写真感光体を、かかるトレー状の保護容器を用いて収納することによって、振動等が激しい運搬時であっても、あるいは、長期間保管する場合であっても、遮光保護部材と電子写真感光体表面との面接触による傷や圧接痕の発生を、有効に防止することができるためである。
すなわち、このような緩衝部材で成型されたトレー状の保護容器であれば、電子写真感光体の両端部に装着されたフランジ部分のみを支持し、感光層部分とは非接触の状態で、電子写真感光体を収納することができるためである。
【００３１】
より具体的には、トレー状の保護容器３０において、その収納部３０ａに対応させて、梱包された電子写真感光体を収納する。このとき、上述したように、電子写真感光体の両端部に装着されたフランジ部分のみが、支持部３０ｂと接触することで保持され、電子写真感光体の感光層部分は、トレー状の保護容器３０に対して非接触の状態が維持される。
次いで、図１０に示すように、裏返しにした別のトレー状の保護容器３０を、上部から重ねることで、それぞれのトレー状保護容器における凹凸が噛み合うため、梱包された電子写真感光体を、完全に固定することができる。
そして、かかる工程を繰り返すことで、梱包された電子写真感光体が収納されたトレー状の保護容器を、複数段安定的に積み重ねることができる。
このようにして複数段積み重ねられたトレー状の保護容器３０は、電子写真感光体１を収納した状態で、図１０に示すように、外装箱４０に収納することで、さらに安定的に運搬及び保管することができる。
【００３２】
［第２の実施形態］
本発明の別の実施形態は、画像形成装置に対して、梱包状態の電子写真感光体を組み付けるための電子写真感光体の組み込み方法であって、下記工程（ａ）〜（ｃ）を順次に含むことを特徴とする電子写真感光体の組み込み方法である。
（ａ）電子写真感光体の周囲に対して、粘着テープが貼り付けられる該当箇所の全周または周囲の一部に沿って、切断線または薄肉部が設けてある遮光保護部材を、一部重ねた状態で巻き付けて、電子写真感光体を梱包する工程
（ｂ）梱包した状態の電子写真感光体を、画像形成装置、または画像形成ユニットの所定場所に配置する工程
（ｃ）粘着テープが貼り付けられた遮光保護部材の該当箇所を、粘着テープが貼り付いた状態で引き剥がし、遮光保護部材を全て取り外す工程
以下、第１の実施形態と共通する部分は適宜省略しつつ、第２の実施形態の特徴的部分を各構成要件に分けて順次説明する。
【００３３】
１．画像形成装置または画像形成ユニットへの組み込み工程
第１の実施形態において記載した梱包方法によって梱包された電子写真感光体を、画像形成装置または画像形成ユニットに対して組み付けることを特徴とする。
この理由は、画像形成装置または画像形成ユニットに対して電子写真感光体を組み付ける工程においても、電子写真感光体に対して傷が付くこと及び外光への暴露を抑制することができるためである。
具体的には、画像形成装置または画像形成ユニット内における電子写真感光体の配置部周辺に設置されている種々の部材等との接触によって、電子写真感光体に対して傷が付くことを防止することができるためである。また、電子写真感光体が、室内照明等に対して、直接的に暴露されることを防止することができるためである。
また、このとき、後の遮光保護部材を取り外す工程において、遮光保護部材の端部における切断線または薄肉部によって形成された該当箇所、または粘着テープを、摘んで引っ張ることができるように、かかる該当箇所が摘みやすい位置、すなわち、作業者における手前側になるように組み付けることが好ましい。
【００３４】
２．遮光保護部材の取り外し工程
次いで、電子写真感光体に巻き付けられている遮光保護部材の端部における切断線または薄肉部よって形成された該当箇所、または粘着テープを、摘んで引っ張ることによって、遮光保護部材における該当箇所を引き剥がし、電子写真感光体から遮光保護部材を取り外すことを特徴とする。
この理由は、電子写真感光体の梱包方法が、第１の実施形態において説明したような特定の梱包方法であるため、遮光保護部材に対して、所定の切断線等を設けることにより、遮光保護部材の一部のみを、粘着テープと一緒に取り外すことができるためである。その結果、粘着テープの粘着面が露出することなく、遮光保護部材を取り外すことができるためである。
したがって、電子写真感光体を、画像形成装置または画像形成ユニットに対して組み込んだ状態でその梱包を取り外す際に、粘着テープにおける粘着剤成分が、電子写真感光体に対して直接または間接的に付着することを効果的に抑制し、それに起因した画像不良を抑制することができる。
また、このように電子写真感光体の組み込み方法を実施することにより、遮光保護部材を取り外す作業が容易となるため、画像形成装置の組み立てや、電子写真感光体の交換等における作業効率の向上に資することができる。
【００３５】
すなわち、遮光保護部材の端部における切断線等によって形成された該当箇所を、摘んで引っ張ることによって、遮光保護部材における該当箇所が裂けるため、そのまま引っ張ることで電子写真感光体から遮光保護部材を完全に取り外すことができる。また、このとき、粘着テープにおける粘着面が露出していないため、電子写真感光体にも、その周辺の転写ローラ等の部材に対しても、粘着剤が付着することを防止することができる。
なお、従来の方法で梱包された電子写真感光体の場合、粘着テープを慎重に剥離して電子写真感光体に直接付着することを防ぐことができたとしても、粘着テープの貼り付け箇所において糊残りがあった場合には、かかる粘着剤が転写ローラ等の周辺部材に付着し、間接的に電子写真感光体にも付着するといった問題が見られた。
一方で、本発明としての電子写真感光体の組み込み方法であれば、上述したように、粘着テープにおける粘着面が露出していないため、このような問題を解決することができる。
【実施例】
【００３６】
［実施例１］
１．電子写真感光体の製造
電荷発生物質として、Ｘ型無金属フタロシアニン２．７重量部と、正孔輸送剤として、スチルベンアミン化合物５０重量部と、電子輸送剤として、アゾキノン系化合物３５重量部と、結着樹脂として、平均分子量３００００のビスフェノールＺ型ポリカーボネート樹脂１００重量部と、テトラヒドロフラン７００重量部と、を攪拌容器内に収容した後、ボールミルで５０時間混合分散し、塗布液を作成した。
次いで、得られた塗布液を軸長さ２２０ｍｍ、直径３０ｍｍのアルマイト素管からなる導電性支持体上にディップコート法にて塗布した後、１３０℃、４５分間の条件で熱風乾燥し、膜厚３０μｍの単層型電子写真感光体を得た。
【００３７】
２．梱包工程
（１）切断線等の形成
次いで、厚さ０．１ｍｍ、横幅２５４ｍｍ、長さ１５０ｍｍの、黒色遮光保護紙を用意した。
次いで、かかる黒色遮光保護紙の横幅における中央部に、横３０ｍｍ、縦７ｍｍ、切断線の幅１ｍｍ、切断線の非形成部の長さ１５ｍｍ、のコの字上の切断線を、切断刃によって形成した。さらに、切断線の非形成部には、１ｍｍ間隔のミシン線を形成し、実施例１の遮光保護部材とした。
【００３８】
（２）電子写真感光体の梱包
次いで、得られた遮光保護部材を、製造した電子写真感光体に対して、粘着テープによる固定箇所が２０ｍｍの重なりとなるように、緩みなく巻きつけた。次いで、遮光保護部材における該当箇所に、２ｃｍ×５ｃｍの大きさの粘着テープ（積水化学（株）製、フィクスロンテープ＃８１６）を貼り付けて固定した。
【００３９】
３．電子写真感光体の組み込み工程
次いで、梱包された電子写真感光体を、画像形成装置（京セラミタ（株）製、ＦＳ−１０１０）に組み込んだ。
次いで、梱包された電子写真感光体における遮光保護部材の該当箇所を指で摘んで、該当箇所を粘着テープと一緒に引き剥がし、粘着テープの粘着面を露出させることなく、遮光保護部材を取り外した。
【００４０】
４．評価
（１）耐久性の評価
切断線の非形成部における耐久性を評価した。
すなわち、正弦波掃引振動試験装置を用いて、周波数：５〜１００Ｈｚ、掃引時間：１分スイープ、振動加速度：１Ｇの条件で、Ｘ、Ｙ、Ｚ方向各に３０分間振動させた。その後、切断線の非形成部における破断割合を調べて、下記基準に沿って、耐久性の評価とした。得られた結果を表１に示す。
○：切断線の非形成部における破断割合が、０／１００本である。
△：切断線の非形成部における破断割合が、１〜１０／１００本未満である。
×：切断線の非形成部における破断割合が、１０／１００本以上である。
【００４１】
（２）破断性の評価
また、切断線の非形成部における破断性を評価した。
すなわち、梱包された電子写真感光体を画像形成装置に組み込んだ状態において、遮光保護部材の切断線による該当箇所を引き剥がす際の破断性を、下記基準に沿って評価した。得られた結果を表１に示す。
○：切断線の非形成部における破断が、想定通りに実施された割合が、１００／１００本である。
△：切断線の非形成部における破断が、想定通りに実施された割合が、９０〜１００／１００本未満である。
×：切断線の非形成部における破断が、想定通りに実施された割合が、９０／１００本未満である。
【００４２】
（３）画像評価
また、上述した方法で電子写真感光体が組み付けられた画像形成装置を用いて、画像評価を行った。
すなわち、グレー画像形成して、画像異常の有無を目視にて確認し、下記評価に沿って評価した。得られた結果を表１に示す。
○：画像異常の発生割合が、０／１００本である。
△：画像異常の発生割合が、１〜１０／１００本未満である。
×：画像異常の発生割合が、１０／１００本以上である。
【００４３】
［実施例２］
実施例２では、黒色遮光保護紙において、切断線の非形成部に対してミシン線を形成しなかったほかは、実施例１同様に、電子写真感光体を製造及び梱包するとともに、画像形成装置に対して組み込んで、評価した。得られた結果を表１に示す。
【００４４】
［実施例３］
実施例３では、黒色遮光保護紙において、切断線のかわりに、幅５ｍｍの薄肉部（厚さ０．０５ｍｍ）を形成したほかは、実施例１と同様に電子写真感光体を製造及び梱包するとともに、画像形成装置に対して組み込み、評価した。得られた結果を表１に示す。
【００４５】
[実施例４]
実施例４では、黒色遮光保護紙において、薄肉部の非形成部に対して、ミシン線を形成しなかったほかは、実施例３と同様に、電子写真感光体を製造及び梱包するとともに、画像形成装置に対して組み込んで、評価した。得られた結果を表１に示す。
【００４６】
［比較例１］
比較例１では、黒色遮光保護紙において、切断線、薄肉部及びミシン線を形成しなかったほかは、実施例１と同様に電子写真感光体を製造及び梱包するとともに、画像形成装置に対して組み込み、評価した。得られた結果を表１に示す。
【００４７】
【表１】
2008009081.tif 000003
【産業上の利用可能性】
【００４８】
本発明の電子写真感光体の梱包方法及び電子写真感光体の組み込み方法によれば、遮光保護部材の所定箇所に対して所定の破断部（切断線または薄肉部）を設けることにより、画像形成装置に対して組み込んだ後に梱包を取り外した場合であっても、粘着テープの粘着剤が電子写真感光体に対して付着することを効果的に抑制することができるようになった。
したがって、かかる梱包方法及び組み込み方法によって梱包及び組み付けされた電子写真感光体は、複写機やプリンタ等の各種画像形成装置における画像特性の向上のみならず、画像成装置の組み立てや、電子写真感光体の交換等における作業効率の向上に著しく寄与することが期待される。
【図面の簡単な説明】
【００４９】
【図１】電子写真感光体の梱包状態を説明するために供する図である。
【図２】遮光保護部材と、粘着テープとの関係を説明するために供する図である。
【図３】（ａ）〜（ｃ）は、遮光保護部材の取り外し方法を説明するために供する図である。
【図４】（ａ）〜（ｃ）は、切断線または薄肉部を説明するために供する図である。
【図５】別な切断線または薄肉部を説明するために供する図である。
【図６】切断線または薄肉部におけるミシン線を説明するために供する図である。
【図７】切断線または薄肉部における着色部を説明するために供する図である。
【図８】粘着テープの構造を説明するために供する図である。
【図９】トレー状の保護容器を説明するために供する図である。
【図１０】トレー状の保護容器の使用状態を説明するために供する図である。
【図１１】従来の電子写真感光体の梱包状態を説明するために供する図である。
【符号の説明】
【００５０】
１：電子写真感光体
４：フランジ部分
１０：遮光保護部材
１２：切断線または薄肉部
１２ｄ：ミシン線
１４：粘着テープ
２０：粘着テープ
２２：基材
２４：粘着剤層
３０：トレー状の保護容器
３０ａ：収納部
３０ｂ：支持部
４０：外装箱
【図１】
2008009081.tif 000004
【図２】
2008009081.tif 000005
【図３】
2008009081.tif 000006
【図４】
2008009081.tif 000007
【図５】
2008009081.tif 000008
【図６】
2008009081.tif 000009
【図７】
2008009081.tif 000010
【図８】
2008009081.tif 000011
【図９】
2008009081.tif 000012
【図１０】
2008009081.tif 000013
【図１１】
2008009081.tif 000014